【手続補正書】
【提出日】平成28年12月5日(2016.12.5)
【手続補正１】
【補正対象書類名】特許請求の範囲
【補正対象項目名】全文
【補正方法】変更
【補正の内容】
【特許請求の範囲】
【請求項１】
少なくとも７０重量％のガソリン燃料と、
少なくとも一種の粘性付与化合物とを含み、
前記粘性付与化合物は、
前記ガソリン燃料の絶対粘度を、温度４０℃、大気圧下の測定値で１０ｍＰａ・ｓ以上の絶対粘度値まで増加させることが可能であり、
さらに、前記ガソリン燃料にせん断減粘性を付与可能である、
ガソリン燃料組成物。
【請求項２】
請求項１に記載のガソリン燃料組成物において、１００〜１０００（ｓ−１）の応力の負荷に対し、せん断減粘性挙動を示すことを特徴とする、ガソリン燃料組成物。
【請求項３】
請求項１または２に記載のガソリン燃料組成物において、前記粘性付与化合物が、該ガソリン燃料組成物にチキソトロピック性を付与可能な粘性付与化合物から選択されることを特徴とする、ガソリン燃料組成物。
【請求項４】
請求項１から３のいずれか一項に記載のガソリン燃料組成物において、粘性付与化合物が、対称または非対称Ｎ−置換ウレア類の誘導体および対称または非対称Ｎ−置換ビスウレア類の誘導体から選択される一種または混合物であることを特徴とする、ガソリン燃料組成物。
【請求項５】
請求項４に記載のガソリン燃料組成物において、前記粘性付与化合物が、対称または非対称Ｎ−置換ビスウレア類の誘導体から選択される一種または混合物であることを特徴とする、ガソリン燃料組成物。
【請求項６】
請求項４または５に記載のガソリン燃料組成物において、前記粘性付与化合物が、該粘性付与化合物のウレア官能基の窒素原子に結合した少なくとも１つの置換基を有し、
該置換基は、Ｃ５〜Ｃ１０単環式または多環式芳香族環およびＣ５〜Ｃ１０ヘテロ環からなる群から選択され、
前記芳香族環およびヘテロ環は、それぞれが任意で、少なくとも１つの、直鎖状または分岐鎖状の、飽和または不飽和の、Ｃ１〜Ｃ１０炭化水素含有鎖によって置換されていてもよく、
さらに前記炭化水素含有鎖は、任意で、Ｎ、ＯおよびＳから選択される少なくとも１つのヘテロ原子を含んでいてもよいことを特徴とする、ガソリン燃料組成物。
【請求項７】
請求項４から６のいずれか一項に記載のガソリン燃料組成物において、粘性付与化合物が、該粘性付与化合物のウレア官能基の窒素原子に結合した少なくとも１つの置換基を有しており、
該置換基は、直鎖状または分岐鎖状の、飽和または不飽和の、Ｃ１〜Ｃ２４炭化水素含有鎖からなる群から選択される（該炭化水素含有鎖は、任意で、Ｎ、ＯおよびＳから選択される少なくとも１つのヘテロ原子を含んでいてもよい）ことを特徴とする、ガソリン燃料組成物。
【請求項８】
請求項１から７のいずれか一項に記載のガソリン燃料組成物において、粘性付与化合物が、下記の式（１）で表されることを特徴とする、ガソリン燃料組成物。
【化１】
2016504453.tif 000001
［式中、Ｒ１およびＲ２は、同一または異なって、それぞれ独立して、
直鎖状または分岐鎖状の、飽和または不飽和の、Ｃ１〜Ｃ２４炭化水素含有鎖（任意で、Ｎ、ＯおよびＳから選択される少なくとも１つのヘテロ原子を含み、かつ／または、任意で、少なくとも１つのＣ５〜Ｃ１０単環式または多環式芳香族環を有しているものを含んでいてもよい）と、
Ｃ５〜Ｃ１０単環式または多環式芳香族環およびＣ５〜Ｃ１０ヘテロ環（それぞれ任意で、少なくとも１つの、直鎖状または分岐鎖状の、飽和または不飽和の、Ｃ１〜Ｃ１０炭化水素含有鎖によって置換されていてもよく、該炭化水素含有鎖が、任意で、Ｎ、ＯおよびＳから選択される少なくとも１つのヘテロ原子を含んでいてもよい）と、
からなる群から選択される基である。］
【請求項９】
請求項１から８のいずれか一項に記載のガソリン燃料組成物において、粘性付与化合物が、下記の式（２）で表されることを特徴とする、ガソリン燃料組成物。
【化２】
2016504453.tif 000002
［式中、Ｙは、
Ｃ５〜Ｃ１０単環式または多環式芳香族環およびＣ５〜Ｃ１０ヘテロ環（前記芳香族環およびヘテロ環は、それぞれが任意で、少なくとも１つの、鎖状または分岐鎖状の、飽和または不飽和の、Ｃ１〜Ｃ１０炭化水素含有鎖によって置換されていてもよく、さらに該炭化水素含有鎖が、任意で、Ｎ、ＯおよびＳから選択される少なくとも１つのヘテロ原子を含んでいてもよい）と、
直鎖状または分岐鎖状の、飽和または不飽和の、Ｃ１〜Ｃ２４炭化水素含有鎖（任意で、Ｎ、ＯおよびＳから選択される少なくとも１つのヘテロ原子を含んでいてもよい）と、
からなる群から選択される基であり、
Ｒ３およびＲ４は、同一または異なって、互いに独立して、直鎖状または分岐鎖状の、飽和または不飽和の、Ｃ１〜Ｃ２４炭化水素含有鎖（任意で、Ｎ、ＯおよびＳから選択される少なくとも１つのヘテロ原子を含んでいてもよく、かつ／または、任意で、少なくとも１つのＣ５〜Ｃ１０単環式または多環式芳香族環を有していてもよい）からなる群から選択される基である。
【請求項１０】
請求項９に記載のガソリン燃料組成物において、Ｙは、Ｃ５〜Ｃ１０単環式または多環式芳香族環およびＣ５〜Ｃ１０ヘテロ環（任意で、少なくとも１つの直鎖状または分岐鎖状の、飽和または不飽和の、Ｃ１〜Ｃ１０炭化水素鎖によって置換されていてもよく、さらに該炭化水素鎖が、任意で、Ｎ、ＯおよびＳから選択される少なくとも１つのヘテロ原子を含んでいてもよい）からなる群から選択される基であることを特徴とする、ガソリン燃料組成物。
【請求項１１】
請求項９または１０に記載のガソリン燃料組成物において、前記Ｒ３およびＲ４は、同一または異なって、互いに独立して、直鎖状または分岐鎖状の、飽和または不飽和の、Ｃ１〜Ｃ２４環式または非環式炭化水素含有鎖（任意で、エーテル官能基、エステル官能基、ケトン官能基、アミン官能基、アミド官能基、イミン官能基、チオール官能基、チオエーテル官能基およびチオエステル官能基から選択される少なくとも１種の官能基の形態で、Ｎ、ＯおよびＳから選択される少なくとも１つのヘテロ原子を含んでいてもよく、かつ／または、任意で、少なくとも１つの、Ｃ５〜Ｃ１０単環式または多環式芳香族環を有していてもよく、ここで該少なくとも１つの単環式または多環式芳香族環が、任意で、少なくとも１つの直鎖状または分岐鎖状の、飽和または不飽和の、Ｃ１〜Ｃ１０炭化水素含有鎖によって置換されていてもよい）からなる群から選択される置換基であることを特徴とする、ガソリン燃料組成物。
【請求項１２】
請求項９から１１のいずれか一項に記載のガソリン燃料組成物において、Ｒ３およびＲ４は、同一または異なって、互いに独立して、
−ＣＨ（Ｒ６）ＣＯＯＲ７：
［式中、Ｒ６およびＲ７は、同一または異なって、互いに独立して、直鎖状または分岐鎖状の、飽和または不飽和の、環式または非環式の、Ｃ１〜Ｃ２４炭化水素含有鎖（任意で、少なくとも１つのＣ５〜Ｃ１０単環式または多環式芳香族環を有していてもよく、該少なくとも１つの芳香族環が、任意で、少なくとも１つの、直鎖状または分岐鎖状の、飽和または不飽和の、Ｃ１〜Ｃ１０炭化水素含有鎖によって置換されていてもよい）からなる群から選択される基である。］
で表される基であることを特徴とする、ガソリン燃料組成物。
【請求項１３】
請求項９から１２のいずれか一項に記載のガソリン燃料組成物において、粘性付与化合物が、下記の式（３）で表されることを特徴とする、ガソリン燃料組成物。
【化３】
2016504453.tif 000003
（式中、Ｒ３およびＲ４の定義は、請求項９から１２のいずれか一項に記載された定義と同じであり、Ｒ５は、直鎖状または分岐鎖状の、Ｃ１〜Ｃ１２炭化水素含有鎖からなる群から選択される基である。）
【請求項１４】
請求項１から１３のいずれか一項に記載のガソリン燃料組成物において、粘性付与化合物の分子量は、２０００ｇ／モル以下であることを特徴とする、ガソリン燃料組成物。
【請求項１５】
請求項１から１４のいずれか一項に記載のガソリン燃料組成物において、該ガソリン燃料組成物が、前記粘性付与化合物を、０．０１〜５重量％含有することを特徴とする、ガソリン燃料組成物。
【請求項１６】
請求項１から１５のいずれか一項に記載のガソリン燃料組成物において、さらに、
清浄剤、耐バルブリセッション添加剤、酸化防止剤、および導電性向上剤から選択される少なくとも１種の添加剤、
を含むことを特徴とする、ガソリン燃料組成物。
【請求項１７】
ガソリン燃料組成物を製造する方法であって、
常温で、粘性付与化合物を、少なくとも７０重量％の液状のガソリン燃料に溶解する工程を含み、
前記粘性付与化合物が、温度４０℃、大気圧下での測定値で、前記ガソリン燃料の絶対粘度を１０ｍＰａ・ｓ以上の絶対粘度値にまで増加させることが可能であり、さらに、前記ガソリン燃料にせん断減粘性を付与可能であることを特徴とする、ガソリン燃料組成物の製造方法。
【請求項１８】
請求項１から１６のいずれか一項に記載のガソリン燃料組成物の使用であって、競走用自動車の内燃エンジン用の燃料としての使用。
【請求項１９】
請求項１８に記載の使用であって、前記競走用自動車の重量が１０００ｋｇ未満であることを特徴とする、使用。
【請求項２０】
請求項１８または１９に記載の使用であって、競走用自動車の性能を向上させる使用。
【請求項２１】
請求項１８から２０のいずれか一項に記載の使用であって、競走用自動車の動的安定性を向上させる使用。
【請求項２２】
請求項１８から２１のいずれか一項に記載の使用であって、競走用自動車の路面保持性を、該自動車の平均重心を低くすることによって向上させる使用。
【請求項２３】
請求項１８から２２のいずれか一項に記載の使用において、競走用自動車が、燃料を収容するための、細分されていない単一のセルで構成されたタンクを備えることを特徴とする、使用。
【請求項２４】
内燃エンジンに燃料を供給する方法であって、
前記エンジンに、請求項１から１６のいずれか一項に記載のガソリン燃料組成物を供給する工程を含む、方法。
【手続補正２】
【補正対象書類名】明細書
【補正対象項目名】０１０９
【補正方法】変更
【補正の内容】
【０１０９】
本発明にかかる粘性付与された燃料組成物を使用することによる潜在的ゲインとして、０．１３秒／周以上、好ましくは０．２秒／周以上の総ゲインが推定される。０．２秒／周というゲインは、競走レースの分野では顕著なゲインであると言える。
なお本発明は、下記の実施態様を含んでもよい。
［実施態様１］
少なくとも７０重量％のガソリン燃料と、
少なくとも一種の粘性付与化合物とを含み、
前記粘性付与化合物は、
前記ガソリン燃料の絶対粘度を、温度４０℃、大気圧下の測定値で１０ｍＰａ・ｓ以上の絶対粘度値まで増加させることが可能であり、
さらに、前記ガソリン燃料にせん断減粘性を付与可能である、
ガソリン燃料組成物。
［実施態様２］
実施態様１に記載のガソリン燃料組成物において、１００〜１０００（ｓ−１）の応力の負荷に対し、せん断減粘性挙動を示すことを特徴とする、ガソリン燃料組成物。
［実施態様３］
実施態様１または２に記載のガソリン燃料組成物において、前記粘性付与化合物が、該ガソリン燃料組成物にチキソトロピック性を付与可能な粘性付与化合物から選択されることを特徴とする、ガソリン燃料組成物。
［実施態様４］
実施態様１から３のいずれか一つの態様に記載のガソリン燃料組成物において、粘性付与化合物が、対称または非対称Ｎ−置換ウレア類の誘導体および対称または非対称Ｎ−置換ビスウレア類の誘導体から選択される一種または混合物であることを特徴とする、ガソリン燃料組成物。
［実施態様５］
実施態様４に記載のガソリン燃料組成物において、前記粘性付与化合物が、対称または非対称Ｎ−置換ビスウレア類の誘導体から選択される一種または混合物であることを特徴とする、ガソリン燃料組成物。
［実施態様６］
実施態様４または５に記載のガソリン燃料組成物において、前記粘性付与化合物が、該粘性付与化合物のウレア官能基の窒素原子に結合した少なくとも１つの置換基を有し、
該置換基は、Ｃ５〜Ｃ１０単環式または多環式芳香族環およびＣ５〜Ｃ１０ヘテロ環からなる群から選択され、
前記芳香族環およびヘテロ環は、それぞれが任意で、少なくとも１つの、直鎖状または分岐鎖状の、飽和または不飽和の、Ｃ１〜Ｃ１０炭化水素含有鎖によって置換されていてもよく、
さらに前記炭化水素含有鎖は、任意で、Ｎ、ＯおよびＳから選択される少なくとも１つのヘテロ原子を含んでいてもよいことを特徴とする、ガソリン燃料組成物。
［実施態様７］
実施態様４から６のいずれか一つの態様に記載のガソリン燃料組成物において、粘性付与化合物が、該粘性付与化合物のウレア官能基の窒素原子に結合した少なくとも１つの置換基を有しており、
該置換基は、直鎖状または分岐鎖状の、飽和または不飽和の、Ｃ１〜Ｃ２４炭化水素含有鎖からなる群から選択される（該炭化水素含有鎖は、任意で、Ｎ、ＯおよびＳから選択される少なくとも１つのヘテロ原子を含んでいてもよい）ことを特徴とする、ガソリン燃料組成物。
［実施態様８］
実施態様１から７のいずれか一つの態様に記載のガソリン燃料組成物において、粘性付与化合物が、下記の式（１）で表されることを特徴とする、ガソリン燃料組成物。
【化７】
2016504453.tif 000004
［式中、Ｒ１およびＲ２は、同一または異なって、それぞれ独立して、
直鎖状または分岐鎖状の、飽和または不飽和の、Ｃ１〜Ｃ２４炭化水素含有鎖（任意で、Ｎ、ＯおよびＳから選択される少なくとも１つのヘテロ原子を含み、かつ／または、任意で、少なくとも１つのＣ５〜Ｃ１０単環式または多環式芳香族環を有しているものを含んでいてもよい）と、
Ｃ５〜Ｃ１０単環式または多環式芳香族環およびＣ５〜Ｃ１０ヘテロ環（それぞれ任意で、少なくとも１つの、直鎖状または分岐鎖状の、飽和または不飽和の、Ｃ１〜Ｃ１０炭化水素含有鎖によって置換されていてもよく、該炭化水素含有鎖が、任意で、Ｎ、ＯおよびＳから選択される少なくとも１つのヘテロ原子を含んでいてもよい）と、
からなる群から選択される基である。］
［実施態様９］
実施態様１から８のいずれか一つの態様に記載のガソリン燃料組成物において、粘性付与化合物が、下記の式（２）で表されることを特徴とする、ガソリン燃料組成物。
【化８】
2016504453.tif 000005
［式中、Ｙは、
Ｃ５〜Ｃ１０単環式または多環式芳香族環およびＣ５〜Ｃ１０ヘテロ環（前記芳香族環およびヘテロ環は、それぞれが任意で、少なくとも１つの、鎖状または分岐鎖状の、飽和または不飽和の、Ｃ１〜Ｃ１０炭化水素含有鎖によって置換されていてもよく、さらに該炭化水素含有鎖が、任意で、Ｎ、ＯおよびＳから選択される少なくとも１つのヘテロ原子を含んでいてもよい）と、
直鎖状または分岐鎖状の、飽和または不飽和の、Ｃ１〜Ｃ２４炭化水素含有鎖（任意で、Ｎ、ＯおよびＳから選択される少なくとも１つのヘテロ原子を含んでいてもよい）と、
からなる群から選択される基であり、
Ｒ３およびＲ４は、同一または異なって、互いに独立して、直鎖状または分岐鎖状の、飽和または不飽和の、Ｃ１〜Ｃ２４炭化水素含有鎖（任意で、Ｎ、ＯおよびＳから選択される少なくとも１つのヘテロ原子を含んでいてもよく、かつ／または、任意で、少なくとも１つのＣ５〜Ｃ１０単環式または多環式芳香族環を有していてもよい）からなる群から選択される基である。
［実施態様１０］
実施態様９に記載のガソリン燃料組成物において、Ｙは、Ｃ５〜Ｃ１０単環式または多環式芳香族環およびＣ５〜Ｃ１０ヘテロ環（任意で、少なくとも１つの直鎖状または分岐鎖状の、飽和または不飽和の、Ｃ１〜Ｃ１０（好ましくは、Ｃ１〜Ｃ４）炭化水素鎖によって置換されていてもよく、さらに該炭化水素鎖が、任意で、Ｎ、ＯおよびＳから選択される少なくとも１つのヘテロ原子を含んでいてもよい）からなる群から選択される基であることを特徴とする、ガソリン燃料組成物。
［実施態様１１］
実施態様９または１０に記載のガソリン燃料組成物において、前記Ｒ３およびＲ４は、同一または異なって、互いに独立して、直鎖状または分岐鎖状の、飽和または不飽和の、Ｃ１〜Ｃ２４環式または非環式炭化水素含有鎖（任意で、エーテル官能基、エステル官能基、ケトン官能基、アミン官能基、アミド官能基、イミン官能基、チオール官能基、チオエーテル官能基およびチオエステル官能基から選択される少なくとも１種の官能基の形態で、Ｎ、ＯおよびＳから選択される少なくとも１つのヘテロ原子を含んでいてもよく、かつ／または、任意で、少なくとも１つの、Ｃ５〜Ｃ１０単環式または多環式芳香族環を有していてもよく、ここで該少なくとも１つの単環式または多環式芳香族環が、任意で、少なくとも１つの直鎖状または分岐鎖状の、飽和または不飽和の、Ｃ１〜Ｃ１０炭化水素含有鎖によって置換されていてもよい）からなる群から選択される置換基であることを特徴とする、ガソリン燃料組成物。
［実施態様１２］
実施態様９から１１のいずれか一つの態様に記載のガソリン燃料組成物において、Ｒ３およびＲ４は、同一または異なって、互いに独立して、
−ＣＨ（Ｒ６）ＣＯＯＲ７：
［式中、Ｒ６およびＲ７は、同一または異なって、互いに独立して、直鎖状または分岐鎖状の、飽和または不飽和の、環式または非環式の、Ｃ１〜Ｃ２４炭化水素含有鎖（任意で、少なくとも１つのＣ５〜Ｃ１０単環式または多環式芳香族環を有していてもよく、該少なくとも１つの芳香族環が、任意で、少なくとも１つの、直鎖状または分岐鎖状の、飽和または不飽和の、Ｃ１〜Ｃ１０炭化水素含有鎖によって置換されていてもよい）からなる群から選択される基である。］
で表される基であることを特徴とする、ガソリン燃料組成物。
［実施態様１３］
実施態様９から１２のいずれか一つの態様に記載のガソリン燃料組成物において、粘性付与化合物が、下記の式（３）で表されることを特徴とする、ガソリン燃料組成物。
【化９】
2016504453.tif 000006
（式中、Ｒ３およびＲ４の定義は、実施態様９から１２のいずれか一つの態様に記載された定義と同じであり、Ｒ５は、直鎖状または分岐鎖状の、Ｃ１〜Ｃ１２炭化水素含有鎖からなる群から選択される基である。）
［実施態様１４］
実施態様１から１３のいずれか一つの態様に記載のガソリン燃料組成物において、粘性付与化合物の分子量は、２０００ｇ／モル以下であることを特徴とする、ガソリン燃料組成物。
［実施態様１５］
実施態様１から１４のいずれか一つの態様に記載のガソリン燃料組成物において、該ガソリン燃料組成物が、前記粘性付与化合物を、０．０１〜５重量％含有することを特徴とする、ガソリン燃料組成物。
［実施態様１６］
実施態様１から１５のいずれか一つの態様に記載のガソリン燃料組成物において、さらに、
清浄剤、耐バルブリセッション添加剤、酸化防止剤、および導電性向上剤から選択される少なくとも１種の添加剤、
を含むことを特徴とする、ガソリン燃料組成物。
［実施態様１７］
ガソリン燃料組成物を製造する方法であって、
常温で、粘性付与化合物を、少なくとも７０重量％の液状のガソリン燃料に溶解する工程を含み、
前記粘性付与化合物が、温度４０℃、大気圧下での測定値で、前記ガソリン燃料の絶対粘度を１０ｍＰａ・ｓ以上（好ましくは、１００ｍＰａ・ｓ以上）の絶対粘度値にまで増加させることが可能であり、さらに、前記ガソリン燃料にせん断減粘性を付与可能であることを特徴とする、ガソリン燃料組成物の製造方法。
［実施態様１８］
実施態様１から１６のいずれか一つの態様に記載のガソリン燃料組成物の使用であって、競走用自動車の内燃エンジン用の燃料としての使用。
［実施態様１９］
実施態様１８に記載の使用であって、前記競走用自動車の重量が１０００ｋｇ未満であることを特徴とする、使用。
［実施態様２０］
実施態様１８または１９に記載の使用であって、競走用自動車の性能を向上させる使用。
［実施態様２１］
実施態様１８から２０のいずれか一つの態様に記載の使用であって、競走用自動車の動的安定性を向上させる使用。
［実施態様２２］
実施態様１８から２１のいずれか一つの態様に記載の使用であって、競走用自動車の路面保持性を、該自動車の平均重心を低くすることによって向上させる使用。
［実施態様２３］
実施態様１８から２２のいずれか一つの態様に記載の使用において、競走用自動車が、燃料を収容するための、細分されていない単一のセルで構成されたタンクを備えることを特徴とする、使用。
［実施態様２４］
内燃エンジンに燃料を供給する方法であって、
前記エンジンに、実施態様１から１６のいずれか一つの態様に記載のガソリン燃料組成物を供給する工程を含む、方法。